(57)【要約】【課題】    橋脚下端付近及びラーメン橋脚の上端付近における軸方向鉄筋が大きな曲げモーメント作用時に座屈するのを有効に抑制するとともに、帯鉄筋及び中間拘束筋の配置を容易化する。【解決手段】    この橋脚１は、側面に沿って上下方向に軸方向鉄筋１１と、該軸方向鉄筋１１を囲む横方向の帯鉄筋１２と、橋脚の対向する側面付近の帯鉄筋１２を互いに連結する中間拘束筋１３とが配置されている。軸方向鉄筋１１は、楕円形の断面を有し、この楕円形の短軸が橋脚１の側面と平行となるように軸方向鉄筋１１を配列することによって、この側面と直角な方向への軸方向鉄筋１１の曲げ剛性が大きいものとなる。このため、地震時の水平方向の慣性力等によって大きな曲げモーメントが橋脚断面に作用したとき、軸方向鉄筋１１が外側に膨らみ出して座屈するのが抑制され、帯鉄筋及び中間拘束筋の配置間隔を大きく設定することできる。【選択図】    図１
2005076203.tif 000002
【特許請求の範囲】
【請求項１】
鉄筋コンクリートからなる橋脚であって、
該橋脚のコンクリート中の表面近くに、該表面に沿って複数の軸方向鉄筋が配置され、
前記軸方向鉄筋の断面の形状は、断面内で直交する二つの軸線回りの曲げ剛性が異なるものであり、該橋脚の表面と直角な方向への曲げ剛性が、該表面と平行な方向への曲げ剛性より大きいものであることを特徴とする鉄筋コンクリート橋脚。
【請求項２】
前記軸方向鉄筋の断面の形状が楕円形であることを特徴とする請求項１に記載の鉄筋コンクリート橋脚。
【請求項３】
鉄筋コンクリートからなる橋脚であって、
該橋脚のコンクリート中の表面近くに、該表面に沿って複数の軸方向鉄筋が、コンクリートの表面から中心側に向かって2列に分けて配置され、
１列目の軸方向鉄筋と2列目の軸方向鉄筋とが相互に連結されていることを特徴とする鉄筋コンクリート橋脚。
【請求項４】
前記１列目の軸方向鉄筋と、前記2列目の軸方向鉄筋とが、当接された状態で連結されていることを特徴とする請求項３に記載の鉄筋コンクリート橋脚。
【請求項５】
前記１列目の軸方向鉄筋は、前記2列目の軸方向鉄筋の複数と連結されていることを特徴とする請求項３に記載の鉄筋コンクリート橋脚。
【発明の詳細な説明】
【技術分野】
【０００１】
本願発明は、コンクリートフーチング又はケーソン等から立ち上げられ、橋桁を支持する橋脚に係り、特に地震時等において大きな曲げモーメントが繰り返し作用した場合に、大きな塑性変形を許容し、終局的な破壊が生じるのを抑制する鉄筋コンクリート橋脚に関する。
【背景技術】
【０００２】
橋桁を支持する構造体として、鉄筋コンクリート橋脚は広く用いられている。一般に、鉄筋コンクリート橋脚は、フーチング又はケーソン等から上方に立ち上げられており、図１６（ａ）に示すように支承１０３を介して連続桁１０２を支持する橋脚１０１、図１６（ｂ）に示すように、上端が橋桁１０５と連続して一体となったラーメン構造を形成する橋脚１０４などがある。
【０００３】
図１６（ａ）に示すような連続桁又は単純桁を支持する橋脚１０１では、地震時に大きな水平方向の慣性力が作用すると、橋脚１０１の下端付近に大きな曲げモーメントが作用する。また、図１６（ｂ）に示すようなラーメン構造では、橋脚１０４の下端の他に上端でも大きな曲げモーメントが作用する。このような大きな曲げモーメントに抵抗するために、橋脚のコンクリート断面内には、図１７に示すように軸方向鉄筋１１０つまり上下方向の主鉄筋が配置され、これを取り囲むように軸線とほぼ直角方向の帯鉄筋１１１が配置されている。
【０００４】
上記帯鉄筋１１１は、上下方向に所定間隔をあけて多数が配置されており、せん断力に抵抗するとともに、大きな曲げモーメントが作用したときに、軸方向鉄筋１１０が外側に膨らみ出すのを防止するものとなっている。つまり、次のような機構によって橋脚の終局耐力を向上するものとなっている。
【０００５】
地震時の水平方向の慣性力等によって大きな曲げモーメントが橋脚断面に作用すると、引張縁付近では軸方向鉄筋１１０に降伏点に相当する応力度が作用し、圧縮縁付近ではコンクリートに圧縮強度を超える応力度が作用することがある。このように大きな曲げモーメントが繰り返し作用する場合には、圧縮側の軸方向鉄筋１１０より表面側のコンクリート、つまりかぶり部分のコンクリート１１２ａが、図１８（ａ）に示すように剥落し、大きな圧縮力によって軸方向鉄筋が座屈して外側に膨らみ出すことになる。このような状態となると軸方向鉄筋１１０の内側でコンクリート１１２の破壊が進み、橋脚は終局的な破壊に至る。
【０００６】
これに対し、かぶり部分１１２ａのコンクリートが大きな圧縮応力によって破壊し剥落しても、軸方向鉄筋１１０が座屈することなく維持されると、軸方向鉄筋１１０で囲まれた内側のコンクリート１１２は大きく崩れることなく保持され、橋脚はいわゆる塑性ヒンジとなって曲げモーメントに抵抗しつつ大きな塑性変形を許容することになる。このような状態では、地震動のエネルギーを吸収して、橋脚の振動が抑制されるとともに、終局的な倒壊が生じにくくなって、終局耐力が向上することが知られている。
【０００７】
このため、鉄筋コンクリート橋脚には、曲げモーメントに抵抗する軸方向鉄筋１１０を配置するとともに、その周囲には、図１８（ｂ）に示すように軸方向鉄筋１１０を囲む横方向の帯鉄筋１１１を配置し、さらに中間拘束筋１１３によって橋脚の対向する側面付近の帯鉄筋を連結して相互の間隔を保持する。これにより、帯鉄筋１１１が外側へ押し出されるのを拘束するとともに、帯鉄筋１１１の曲げ剛性によって軸方向鉄筋１１０が外側に膨らみ出そうとするのを拘束して軸方向鉄筋１１０の座屈を防止するものとなっている。
【発明の開示】
【発明が解決しようとする課題】
【０００８】
しかしながら、上記のような鉄筋コンクリート橋脚では次のような問題点がある。
上記のように帯鉄筋によって軸方向鉄筋の座屈を防止しようとすると、帯鉄筋としてかなり太径の鉄筋を用い、上下方向に小さな間隔で多数の帯鉄筋を密に配置しなければならない。また、それぞれの帯鉄筋は、橋脚の反対側の側面付近に配置される帯鉄筋と中間拘束筋によって連結する必要がある。このため、橋脚の下端付近、及びラーメン橋脚における上端付近で、軸方向鉄筋と帯鉄筋が極めて密に配置されることになり、鉄筋の組み立て作業が繁雑となって、作業効率が極めて悪いものとなる。さらに、中間拘束筋の両端をそれぞれ帯鉄筋に係止して配置するために作業工数が増加し、中間拘束筋の数が多くなると、これによって作業効率が著しく低下することになる。
また、鉄筋が密に配置されると、コンクリートの打設に際して、コンクリートが鉄筋間の隅々にまで充分に充填されない事態が生じやすくなってしまう。
【０００９】
本願発明は、上記のような事情に鑑みてなされたものであり、橋脚下端付近及びラーメン橋脚の上端付近における軸方向鉄筋が大きな曲げモーメント作用時に座屈するのを有効に抑制するとともに、帯鉄筋及び中間拘束筋の配置を容易化することを目的とするものである。
【課題を解決するための手段】
【００１０】
上記問題点を解決するために、請求項１に係る発明は、  鉄筋コンクリートからなる橋脚であって、  該橋脚のコンクリート中の表面近くに、該表面に沿って複数の軸方向鉄筋が配置され、  前記軸方向鉄筋の断面の形状は、断面内で直交する二つの軸線回りの曲げ剛性が異なるものであり、該橋脚の表面と直角な方向への曲げ剛性が、該表面と平行な方向への曲げ剛性より大きいものであることを特徴とする鉄筋コンクリート橋脚を提供する。
【００１１】
この橋脚では、コンクリート中の表面近くに配置されている軸方向鉄筋が、橋脚の表面と直角な方向への大きな曲げ剛性を有するものとなっている。このため、地震時の水平方向の慣性力等によって大きな曲げモーメントが橋脚断面に作用したとき、圧縮側の軸方向鉄筋が座屈しにくくなり、コンクリートの外側へ膨らみ出すのが抑制される。したがって、軸方向鉄筋を囲む横方向の帯鉄筋の配置間隔を上下方向に大きく設定したり、橋脚の対向する側面付近の帯鉄筋を連結して相互の間隔を保持する中間拘束筋の配置間隔を大きくすることが可能となる。そして、鉄筋量を削減することができ、構築時における鉄筋の組立てやコンクリートの打設が容易となり、作業効率が向上する。
【００１２】
請求項２に係る発明は、  請求項１に記載の鉄筋コンクリート橋脚において、前記軸方向鉄筋の断面の形状が楕円形であるものとする。
【００１３】
上記軸方向鉄筋の断面の形状が楕円形となっており、該楕円形の短軸に関する断面二次モーメントは、同じ面積の円形の断面を有する軸方向鉄筋の中心線に関する断面二次モーメントより大きいものとなる。従って、この短軸がコンクリートの表面と平行な方向となるように軸方向鉄筋を配置することによって、軸方向鉄筋のコンクリートの表面と直角な方向への曲げ剛性が十分に大きいものとなる。そして、橋脚断面に大きな曲げモーメントが作用したとき、圧縮側の軸方向鉄筋が座屈しにくくなり、コンクリートの外側へ膨らみ出すのが防止される。
【００１４】
請求項３に係る発明は、  鉄筋コンクリートからなる橋脚であって、  該橋脚のコンクリート中の表面近くに、該表面に沿って複数の軸方向鉄筋が、コンクリートの表面から中心側に向かって2列に分けて配置され、  １列目の軸方向鉄筋と2列目の軸方向鉄筋とが相互に連結されていることを特徴とする鉄筋コンクリート橋脚を提供する。
【００１５】
この橋脚では、コンクリートの表面近くに配置された１列目の軸方向鉄筋が、2列目の軸方向鉄筋と連結されているため、１列目の軸方向鉄筋の曲げ変形が2列目の軸方向鉄筋によって拘束され、座屈が生じにくくなる。したがって、橋脚断面に作用する大きな曲げモーメントに対して軸方向鉄筋が座屈して外側へ膨らみ出すのを抑制することができる。そして、軸方向鉄筋を囲む横方向の帯鉄筋や対向する帯鉄筋の間隔を保持する中間拘束筋の配置間隔を大きく設定することが可能となり、橋脚を構築するためのコストが低減され、作業効率も向上する。
【００１６】
請求項４に係る発明は、  請求項３に記載の鉄筋コンクリート橋脚において、前記１列目の軸方向鉄筋と、前記2列目の軸方向鉄筋とが、当接された状態で連結されているものとする。
【００１７】
この橋脚では、１列目の軸方向鉄筋と、対応する位置の2列目の軸方向鉄筋とが、当接された状態で連結されているため、これら連結された二つの軸方向鉄筋は互いに曲げ変形が拘束される。このため、連結された二つの軸方向鉄筋が座屈しにくくなり、コンクリートの外側へ膨らみ出すのが防止される。
【００１８】
請求項５に係る発明は、  請求項３に記載の鉄筋コンクリート橋脚において、前記１列目の軸方向鉄筋は、前記2列目の軸方向鉄筋の複数と連結されているものとする。
【００１９】
この橋脚では、１列目の軸方向鉄筋が2列目の軸方向鉄筋の複数と連結されているため、橋脚断面に大きな曲げモーメントが作用したとき、１列目の軸方向鉄筋がコンクリートの外側に膨らみ出すのが２列目の軸方向鉄筋によって拘束される。これにより、１列目の軸方向鉄筋が座屈しにくくなり、橋脚断面に生じる大きな曲げモーメントに抵抗することができる。
【発明の効果】
【００２０】
以上説明したように本願に係る発明では、橋脚の軸方向鉄筋の断面の形状は、断面内で直交する二つの軸線回りの曲げ剛性が異なるものであり、コンクリートの表面と直角な方向への曲げ剛性が、該表面と平行な方向への曲げ剛性より大きい。あるいは、コンクリートの周面に沿って複数の軸方向鉄筋が、コンクリートの表面から中心に向かって2列に分けて配置され、１列目の軸方向鉄筋と2列目の軸方向鉄筋とが相互に連結されている。これにより、軸方向鉄筋が外側に座屈するのを抑制することができるため、多くの帯鉄筋及び中間拘束筋を配置する必要が緩和され、鉄筋の組み立て作業が効率化される。また、これにともないコンクリートの打設作業も効率よく確実に行うことが可能となる。
【発明を実施するための最良の形態】
【００２１】
以下、本願発明の実施の形態を図に基づいて説明する。
図１は、請求項１又は請求項２に係る発明の一実施形態である鉄筋コンクリート橋脚の平断面図である。また、図２は同じ橋脚の下端付近の立断面図である。
この鉄筋コンクリート橋脚１は、図１６（ａ）に示す橋脚と同様にコンクリートのフーチング２上に立ち上げられ、プレストレストコンクリートの連続桁を支持するものである。この橋脚では、地震時における水平力によって下端付近に大きな曲げモーメントが繰り返し作用することになり、この部分に塑性ヒンジが生じる。
【００２２】
この橋脚１は、図１に示すように中実の矩形断面となっており、側面に沿って軸方向鉄筋１１（ 上下方向の鉄筋であって、主鉄筋となる）が配置されている。この軸方向鉄筋１１は、図２に示すように下端部がフーチング２に埋め込まれて、鉛直方向に立ち上げられており、複数本が橋脚１の側面に沿って配列される。軸方向鉄筋１１の断面の形状は、図３に示すように楕円形となっており、この楕円の短軸が橋脚１の側面１ａと平行となるように、軸方向鉄筋１１が配列される。
【００２３】
また、軸方向鉄筋の周囲には、該軸方向鉄筋１１を囲む横方向の帯鉄筋１２と、橋脚の対向する側面付近の帯鉄筋１２を互いに連結する中間拘束筋１３とが配置されている。そして、中間拘束筋１３の両端部は、フック状に曲げ加工され、それぞれ帯鉄筋１２に係止されている。これにより、橋脚の相対する側面付近に配置された帯鉄筋１２の間隔を保持し、帯鉄筋１２が外側へ押し出されるのを拘束するとともに、帯鉄筋１２の曲げ剛性によって軸方向鉄筋１１が外側に膨らみ出そうとするのを拘束する。
【００２４】
上記軸方向鉄筋１１は、楕円形の断面を有し、この楕円形の短軸が橋脚１の側面と平行となるように軸方向鉄筋１１を配列することによって、この側面と直角な方向への軸方向鉄筋１１の曲げ剛性が大きいものとなる。
【００２５】
次に、上記楕円形断面の軸方向鉄筋１１と、図４に示すような通常の円形の断面を有し、この断面積が上記軸方向鉄筋１１と同じである鉄筋１１´との曲げ座屈強度Ｐの比較を示す。
棒状部材の曲げ座屈強度Ｐは、一般に式（１）によって表すことができる。
Ｐ＝ｋπ2ＥＩ／Ｌ2      （１）
ここで、Ｐ＝曲げ座屈強度
ｋ＝座屈係数（端支点支持条件による）
Ｅ＝弾性係数
Ｉ＝断面二次モーメント
Ｌ＝部材長さ
【００２６】
一方、軸方向鉄筋１１の短軸に関する断面二次モーメントIは、長軸の長さを２ａ、短軸の長さを２ｂとすると、式（２）で表される。また、円形断面の鉄筋１１´の中心線に関する断面二次モーメントI´は、断面の半径をｒとすると、式（３）で表される。
【００２７】
Ｉ  ＝πｂａ3／４       （２）
Ｉ´＝πｒ4／４         （３）
そして、軸方向鉄筋１１の断面積と軸方向鉄筋１１´の断面積とが同じであるから、
πｒ2＝πａｂ           （４）
となる。
【００２８】
式（２）〜式（４）より、
Ｉ／Ｉ´＝ｂａ3／ｒ4＝ｂａ3／ａ2ｂ2＝ａ／ｂ
ここで、ａ：ｂ＝２：１とすると、Ｉ／Ｉ´＝２となる。すなわち、軸方向鉄筋１１の短軸に関する断面二次モーメントIは、円形断面の鉄筋１１´の断面二次モーメントI´の２倍となり、式（１）より、軸方向鉄筋１１の曲げ座屈強度は通常の円形断面の鉄筋１１´の２倍となる。
【００２９】
従って、上記楕円形の断面を有する軸方向鉄筋１１は、通常の円形断面を有する鉄筋に比べて、橋脚１の側面と直角な方向への座屈が生じにくくなっており、地震時の水平方向の慣性力等によって大きな曲げモーメントが橋脚断面に作用したとき、軸方向鉄筋１１が外側に膨らみ出して座屈するのが抑制される。また、この橋脚では、帯鉄筋１２の配置間隔を上下方向に大きく設定したり、中間拘束筋１３の配置間隔を大きくすることができ、構築時の作業効率が向上する。
【００３０】
上記橋脚１では、上記のような楕円形の断面の鉄筋に代えて、図５に示すような形状の断面を有する鉄筋２１、２２、２３を軸方向鉄筋として用いることができる。
【００３１】
図５（ａ）、（ｂ）に示す鉄筋２１は、図中に示すＹ軸方向の両端部が拡大されたＩ型の断面を有するものである。また、図５（ｃ）に示す鉄筋２２は、Ｙ軸方向の中央部で断面幅が縮小されたひょうたん型の断面、図５（ｄ）に示す鉄筋２３は、Ｙ軸に平行な両側面を有し、Ｙ軸方向の両端部が円弧状となった小判型の断面を有するものである。
【００３２】
このような、鉄筋２１、２２、２３の断面は直交する二つの軸線回りの曲げ剛性が異なるものであり、図中に示すX軸回りの断面２次モーメントが、Y軸回りの断面２次モーメントより大きいものとなっている。このため、X軸が橋脚１の側面と平行となるように、この側面に沿って上記鉄筋２１、２２、２３を軸方向鉄筋として配列することによって、橋脚１の側面と直角な方向への軸方向鉄筋の曲げ剛性が大きいものとなる。そして、楕円形の断面を有する上記軸方向鉄筋１１と同様の効果を得ることができる。
【００３３】
図６は、請求項３に係る発明の一実施形態である鉄筋コンクリート橋脚の平断面図である。また、図７は同じ橋脚の下端付近の立断面図である。
この橋脚４１は、コンクリート中の表面近くに、該コンクリートの側面に沿って、コンクリートの外周面側に第１列の軸方向鉄筋４３ａと、中心側に第２列の軸方向鉄筋４３ｂとが2列に分けて配置され、下端部がフーチング４２に埋め込まれて鉛直方向に立ち上げられている。そして、第１列の軸方向鉄筋４３ａ及び第２列の軸方向鉄筋４３ｂがコンクリートの外側へ押出されるのを拘束するために、帯鉄筋４４ａ、４４ｂがそれぞれ軸方向鉄筋４３ａ、４３ｂの外側で水平方向に配置されている。また、橋脚の反対側の側面付近の帯鉄筋４４ａ、４４ｂをそれぞれ互いに連結する中間拘束筋４５ａ、４５ｂが配置されている。
【００３４】
コンクリート中の外周面側に配置された第１列の軸方向鉄筋４３ａと、これより中心側に配置された第２列の軸方向鉄筋４３ｂとは、所定間隔を隔てて、図８に示すような鋼製の接続金具４６によって連結されている。この接続金具４６は、二つの軸方向鉄筋の周面に短冊状の鋼板片４６ａを巻き付け、それぞれの鋼板片に形成されている切り欠き部に連結部材４６ｂを係止するものである。また、接続金具４６に代えて、図９に示すような鋼板片を二つの軸方向鉄筋の周面に巻き付けるように配置し、これらの両端をボルト又はピンによって連結する接続金具４７を用いることもできる。
【００３５】
この橋脚では、断面に大きな曲げモーメントが作用したときに、引張側の縁辺付近に２列に分けて配置された軸方向鉄筋の引張応力と、圧縮側のコンクリートに作用する圧縮応力とによって抵抗する。そして、繰り返し曲げモーメントが作用し、圧縮側でかぶり部分のコンクリートが剥落した場合であっても、軸方向鉄筋４３ａ、４３ｂは第１列と第２列とで互いに曲げ変形を拘束するものとなり、コンクリートの外周面側に第１列の軸方向鉄筋４３ａが膨らみ出すのが拘束される。したがって、地震時の水平方向の慣性力等によって橋脚断面に生じる大きな曲げモーメントに対して、大きな終局耐力を有するものとなる。
【００３６】
図１０は、請求項３又は請求項４に係る発明の一実施形態である鉄筋コンクリート橋脚の平断面図である。また、図１１は同じ橋脚の下端付近の立断面図である。
この鉄筋コンクリート橋脚３１は、図１及び図２に示す橋脚と同様にコンクリートのフーチング３２上に立ち上げられ、プレストレストコンクリートの連続桁を支持するものである。
【００３７】
上記橋脚３１には、コンクリート中の表面近くに、該コンクリートの周面に沿って軸方向鉄筋３３ａ、３３ｂが配置されており、この軸方向鉄筋３３ａ、３３ｂは表面側とその内側とに２列に配置されているが、これらが互いに接するものとなっている。そして、図１２に示すように、これらが互いに結束されている。２本の鉄筋の結束は、アラミド繊維、ガラス繊維又はカーボン繊維等の有機繊維３６を巻き付け、エポキシ樹脂等の樹脂によって接着したものである。そして、結束された軸方向鉄筋３３を囲むように横方向の帯鉄筋３４と、橋脚の対向する側面付近の帯鉄筋３４を互いに連結する中間拘束筋３５とが配置されている。
【００３８】
この橋脚では、軸方向鉄筋３３ａ、３３ｂがコンクリートの表面と直角方向に接触して配列され、これら２本の鉄筋が曲げ変形に対して互いに拘束される。このため、連結された二つの軸方向鉄筋３３ａ、３３ｂが座屈しにくくなり、コンクリートの外側へ膨らみ出すのが防止される。
【００３９】
この橋脚では、図１３に示すように、鋼製の接続金具３７を用いて第１列と第２列との二つの軸方向鉄筋３３ａ、３３ｂを互いに連結してもよい。この接続金具３７は、それぞれに近接して並列された二つの軸方向鉄筋３３ａ、３３ｂの周面に短冊状の鋼板片を巻き付けるように配置し、これらの両端をボルト又はピンによって連結するものである。このように二つの軸方向鉄筋３３ａ、３３ｂが互いに拘束された場合でも、二つの軸方向鉄筋３３が束ねられた状態で曲げに抵抗することになり、該軸方向鉄筋３３のコンクリートの外周面と直角な方向への曲げ剛性が十分に大きいものとなる。
【００４０】
図１４は、請求項３又は請求項５に係る発明の一実施形態である鉄筋コンクリート橋脚の平断面図である。
この橋脚５１では、図６に示す橋脚と同様に、コンクリート中に、該コンクリートの周面に沿って２列の軸方向鉄筋５２ａ、５２ｂと、帯鉄筋５３ａ、５３ｂと、中間拘束筋５４ａ、５４ｂとが配置されている。コンクリート中の外周面側に配置された第１列の軸方向鉄筋５２ａと、中心側に配置された第２列の軸方向鉄筋５２ｂとは、図１５に示すように、それぞれ互いに斜めに位置する鉄筋が連結されている。すなわち、軸方向鉄筋５２ａ、５２ｂのそれぞれに鋼製の接続金具５５がセットされ、斜めに位置する接続金具５５が相互にワイヤー、高張力ワイヤー又は鋼線等の部材５６によって連結されている。このように連結することによって、図６に示す橋脚と同様に、２列に配置された軸方向鉄筋５２ａ、５２ｂが互いにコンクリートの外側に膨らみ出すのが拘束される。
【図面の簡単な説明】
【００４１】
【図１】請求項１又は請求項２に係る発明の一実施形態である鉄筋コンクリート橋脚の下端付近の平断面図である。
【図２】図１に示す橋脚の下端付近の立断面図である。
【図３】図１に示す橋脚で用いられている軸方向鉄筋の平断面図である。
【図４】従来の鉄筋コンクリート橋脚で用いられている軸方向鉄筋の平断面図である。
【図５】図１に示す橋脚で用いられている軸方向鉄筋に代えて用いることのできる他の鉄筋の断面図である。
【図６】請求項３に係る発明の一実施形態である鉄筋コンクリート橋脚の平断面図である。
【図７】図６に示す橋脚の下端付近の立断面図である。
【図８】図６に示す橋脚のコンクリート中に配置された２つの軸方向鉄筋を連結する接続金具を示す側面図及び断面図である。
【図９】図８に示す接続金具に代えて用いることのできる接続金具を示す側面図及び断面図である。
【図１０】請求項３又は請求項４に係る発明の一実施形態である鉄筋コンクリート橋脚の平断面図である。
【図１１】図１０に示す橋脚の下端付近の立断面図である。
【図１２】図１０に示す橋脚のコンクリート中に配置された２つの軸方向鉄筋の結束部を示す側面図及び断面図である。
【図１３】図１２に示す結束部に代えて用いることのできる結束部を示す側面図及び断面図である。
【図１４】請求項３又は請求項５に係る発明の一実施形態である鉄筋コンクリート橋脚の平断面図である。
【図１５】図１４に示す橋脚のコンクリート中に配置された軸方向鉄筋を連結する接続金具を示す平面図及び側面図である。
【図１６】本願発明に係る鉄筋コンクリート橋脚が適用される橋梁の例を示す概略側面図である。
【図１７】従来の鉄筋コンクリート橋脚の平断面図である。
【図１８】従来の鉄筋コンクリート橋脚の問題点を示す立断面図である。
【符号の説明】
【００４２】
１、３１、４１、５１    橋脚
２、３２、４２          フーチング
１１、３３、４３、５２    軸方向鉄筋
１２、３４、４４、５３    帯鉄筋
１３、３５、４５、５４    中間拘束筋
２１、２２、２３          鉄筋
３６                      有機繊維
３７、４６、４７、５５    接続金具
５６                      鋼線
【図１】
2005076203.tif 000003
【図２】
2005076203.tif 000004
【図３】
2005076203.tif 000005
【図４】
2005076203.tif 000006
【図５】
2005076203.tif 000007
【図６】
2005076203.tif 000008
【図７】
2005076203.tif 000009
【図８】
2005076203.tif 000010
【図９】
2005076203.tif 000011
【図１０】
2005076203.tif 000012
【図１１】
2005076203.tif 000013
【図１２】
2005076203.tif 000014
【図１３】
2005076203.tif 000015
【図１４】
2005076203.tif 000016
【図１５】
2005076203.tif 000017
【図１６】
2005076203.tif 000018
【図１７】
2005076203.tif 000019
【図１８】
2005076203.tif 000020